(57)【特許請求の範囲】
【請求項１】
電子回路（７）と、前記電子回路に電気を供給する再充電可能電源（６）とを含み、リストバンド（４、５）を有する携帯機器（１）において、前記リストバンドが、そのリストバンドの同じストランド（４）上に配置され、前記電源を再充電させるために充電器（２０）の２つの相補的導電部分の上に置かれるように意図された正極用と負極用の電気的接触部分（１０、１１）と、前記接触部分を前記電源と電気的に接続する手段（８、９）とを含む携帯機器（１）であって、
リストバンド上を動かすことができ、電気的接触部分（１０、１１）を覆って
保護するために、それらの上の遮断位置を占めることができるループ（１２）、
を含むことを特徴とする携帯機器。
【請求項２】
前記電子回路（７）及び／又は前記電源（６）は、前記リストバンドに一体化されることを特徴とする請求項１に記載の携帯機器。
【請求項３】
前記電気的接触部分は、前記リストバンドの厚みに収容された２つの導電性ソケット手段（１０、１１）であることを特徴とする請求項１に記載の携帯機器。
【請求項４】
前記２つの導電性ソケット手段（１０、１１）は、充電器の前記相補的部分への接続を行う時に絶対確実な装置として働くように異なる接触断面を有することを特徴とする請求項３に記載の携帯機器。
【請求項５】
前記リストバンドが、２つのストランド（４、５）を含み、前記ループ（１２）は、第１のストランド（４）上を自由に動かされ、前記接触部分を覆うことにより前記遮断位置を占めることができ、
前記リストバンドの第２のストランド（５）の自由端は、前記接触部分を保護するために、前記ループ（１２）の内面を前記電気的接触部分の方向に押し付けるために前記ループに挿入することができる
ことを特徴とする請求項１に記載の携帯機器。
【請求項６】
前記リストバンド（４、５）及び前記ループ（１２）は、前記ループをその遮断位置に固定させて前記接触部分（１０、１１）を覆って保護するために、相補的固定部材（１３、１５）を含むことを特徴とする請求項５に記載の携帯機器。
【請求項７】
前記接続手段は、対応する接触部分にそれぞれ接続され、前記リストバンドの単一ストランド内に配置された２つの導電パス（８、９）であり、
前記導電パスは、前記機器のケース（２）を貫通して、前記ケース（２）に収容された前記電源の２つの極線に接続する
ことを特徴とする請求項１に記載の携帯機器。
【請求項８】
充電器の相補的部分の上に置くことができるように同じストランド（４）上に配置された２つの電気的接触部分を含む請求項１から請求項７のいずれか１項に記載の携帯機器のためのリストバンドであって、
リストバンド上を動かすことができ、接触部分を覆って保護するために、それらの上方の遮断位置を占めることができるループ（１２）
を含むことを特徴とするリストバンド。
【発明の詳細な説明】
【０００１】
【発明の属する技術分野】
本発明は、リストバンド、電子回路、及び、その電子回路に給電する再充電可能な電源を有する携帯機器に関する。リストバンドは、そのリストバンドの同じストランド上に配置された２つの異なる電気的接触部分と、その接触部分を電源に電気的に接続する手段とを含む。この携帯機器は、例えば、時計動作部及び／又は計時回路、電子回路、及び、電源が配置されたケースと、この時計ケースに接続された１つ又は２つのストランドを有するリストバンドとを含む電子時計とすることができる。携帯機器はまた、再充電可能電源と電子回路とを含むリストバンドで形成することができる。
本発明はまた、携帯機器のためのリストバンドに関する。
【０００２】
【従来の技術】
腕時計のような携帯機器に装着された電源は、通常、電子構成要素に対する給電レベルが不十分になるとすぐに交換又は再充電しなければならない。そのような電源が交換又は再充電される頻度は、その機器が満たすべく多重機能に大きく左右される。例えば腕時計の場合には、測時機能のための通常の構成部品に加え、無線周波信号を受信及び／又は送信する手段を装着してもよい。これらの送信及び／又は受信用手段は、たとえそれらを連続的に使用しなくても、一般に電力を多く消費する。その結果、電源は比較的速く放電される。すなわち、電源を迅速かつ容易に交換又は再充電できることが必要である。
【０００３】
機器のケース内に置かれた再充電可能電源を再充電させるために、それをケースを通じて電磁結合によって行うことが既に提案されている。これを行うために機器の非金属ケースが充電器の支持体上に置かれる。電源は、充電器の巻線と機器のケースに一体化された巻線との間の誘導結合によって充電される。ケースを閉じた状態に保ち、それによってこれらの作業中に仮に環境の制約から隔離することができるとしても、機器には、電源を再充電するために電磁結合巻線に加えて整流器の手段を含む必要があり、それが欠点となっている。
【０００４】
また、機器のケースに配置された電源は、ケースの一部に設けられた電気的コネクタを通じて再充電されてもよい。そのような場合、充電器のプラグは、電気的コネクタに接続されなければならない。この装置の１つの欠点は、機器の製造コストにある。更に、電気的接続を直接ケースの一部に形成し、同時にケースに一体化された構成要素のシーリングを保証することは比較的複雑である。
【０００５】
【発明が解決しようとする課題】
本発明の目的は、従って、携帯機器の電源を再充電するために充電器に電気的に接続される簡単な手段を有する機器を提案することにより、従来技術の欠点を克服することである。
本発明の別の目的は、すなわち、環境上の制約から接触部分を保護することである。
【０００６】
【問題を解決するための手段】
これらの目的は、電子回路と、前記電子回路に電気を供給する再充電可能電源とを含み、リストバンドを有する携帯機器であって、前記リストバンドが、そのリストバンドの同じストランド上に配置され、前記電源を再充電させるために充電器の２つの相補的導電部分の上に置かれるように意図された２つの異なる電気的接触部分と、前記接触部分を前記電源と電気的に接続する手段とを含み、リストバンド上を動かすことができ、電気的接触部分を覆って保護するために、それらの上の遮断位置を占めることができるループを含むことを特徴とする携帯機器によって達成される。
【０００７】
本発明によるそのような携帯機器の１つの利点は、相補的接続部分を含む充電器との接続を容易にするために、リストバンドに僅かに２つの接続部分を置くだけでよいという事実にある。この２つの部分は、例えば相補的部分を有する充電器のクランプに接続され、それによって電源を容易に再充電できるように互いに距離を置いている。リストバンドの接触部分は、一般にユーザの手首と接触するリストバンドの面と同じ面の上に位置するので、電源を再充電するには、機器をユーザの手首から取り外す必要がある。
【０００８】
本発明によるこのような携帯機器の別の利点は、リストバンドが１つのストランドを有するか又は２つのストランドを有するかに関わらず、２つの部分が単一ストランド上に位置することである。すなわち、金属パスのような接続手段が単一ストランドに一体化されるために、製造コストが大いに低減される。
【０００９】
リストバンドは、好ましくはゴムのような可撓性材料から作られるので、金属パスは、リストバンドのストランドうちの１つの製造中にその材料に埋め込まれる。
【００１０】
接触部分と電源との間の接続に使用される金属パスはまた、機器の受信及び／又は送信手段のためのアンテナとすることもできる。
【００１１】
本携帯機器は、単に再充電可能電源と電子回路とが一体化されたリストバンドとすることができることが分かる。この場合のリストバンドは、その端部に従来の締結手段を有するただ１つのストランドを含む。リストバンドはまた、絶縁された電気的接続手段が配置された延長するリンクで形成することもできる。
【００１２】
本発明による機器の別の利点は、２つのストランドを有するリストバンドのループを使用して、電源を放電させ易い環境の制約から接触部分を保護することができるという事実にある。ストラップのループは、機器がユーザの手首に着用された時に、接触部分の上の遮断位置に来るようにすることができる。例えば、接触部分に近接したリストバンドのストランド上、及び、ループの上に相補的な遮断構成部品が配置される。そのループがゴムのような可撓性材料で作られている場合、ループがその遮断位置にある時には良好な絶縁が保証される。
【００１３】
本携帯機器は、好ましくは、アナログ又はデジタル型の時刻表示を有する腕時計である。しかし、本機器はまた、医療分野、又は、通信又は遠距離通信の分野で使用することができる。
【００１４】
これらの目的はまた、他の目的と共に、充電器の相補的部分の上に置くことができるように同じストランド上に配置された２つの電気的接触部分を含む携帯機器のためのリストバンドであって、リストバンド上を動かすことができ、接触部分を覆って保護するために、それらの上方の遮断位置を占めることができるループ（１２）を含むことを特徴とするリストバンドリストバンドによって達成される。
【００１５】
リストバンドを有する本携帯機器の目的、利点、及び、特徴は、図に示される少なくとも１つの実施形態に関する以下の説明で一層明らかになるであろう。
【００１６】
【発明の実施の形態】
図１を参照すれば、携帯機器１は、ケース２、竜頭又は少なくとも押しボタン３、ケース２の一端にそれぞれ結合した２つのストランド４及び５を有するリストバンド、再充電可能電源６及び電源によって給電される電子回路７を含む。電子回路７及び電源６はケース２に収容されている。本機器は、好ましくは腕時計であり、それはまた、電源によって給電される時計動作部及び／又は計時回路、デジタル時刻表示用又は針を有してアナログ時刻表示用の文字盤、及び、ケースを閉じる時計用クリスタル又はガラスをケース内に含む。時計のこれらの公知の構成部品は、図が混み合うのを避けるために図示されていない。
【００１７】
この実施形態では、リストバンドは、一端にバックル１４及びピンを有する第１のストランド４、及び、ストランド５をストランド４のピン付きバックルに締結する穴を設けた第２のストランド５を含む。第１のストランド４は、接続手段８及び９によりケース２に配置された電源６に接続された２つの電気的接触部分１０及び１１を含む。
【００１８】
この接続手段は、対応する部分にそれぞれ接続された２つの例えば導電性金属パス８及び９で形成される。金属パス８及び９は、ゴム、皮、又は、他の任意の可撓性絶縁材料で作ることができるリストバンドのストランド４に一体化される。これらの金属パス８及び９は、密封された状態でケース２を貫通し、蓄電池又はバッテリなどの電源の正極及び負極端子ＧＮＤと接続する。しかし、ケース２の側のストランド４の端部において、金属パス８及び９が、電源にそれぞれ接続したケース２の金属パッドと接触することもまた想定されるであろう。
【００１９】
電気的接触部分１０及び１１は、リストバンドのユーザの手首と接触する面と同じ面に配置されている。これらの部分は、ユーザの手首と直接接触しないように、リストバンドの厚みの中に一体化され、リストバンドの表面から僅かに引っ込んでいるポット又はソケットのような２つの導電性ソケット手段１０及び１１とすることができる。これによって、導電性ポット又はソケットが直接ユーザの皮膚と接触することによる電源の放電が防がれる。
【００２０】
充電器２０による電源６の再充電作動の間、まず最初に、リストバンドがユーザの手首から外される。図示されていないが、充電器の２つの電気接触ピンが、２つの対応する導電性ポット又はソケット１０及び１１に挿入される。導電性ポット又はソケット１０及び１１は、対応する箇所にそれぞれ差し込まなければならない充電器２０のピンと同じく、充電器２０の正極及び負極端子とのあらゆる誤った接続を防ぐために異なる直径を有する（絶対確実な装置）。導電性ポット又はソケット１０及び１１は、充電器２０のピンとのより良好な電気的接触を保証するために金メッキで被覆される。
【００２１】
これらのポット又はソケットがたとえ僅かにリストバンドの表面から引っ込んでいても、リストバンドがユーザの手首の周りにきつく固定された場合、それは、ユーザの皮膚が２つのポット又はソケット１０及び１１と接触しないことを完全には保証しない。更に、ほこり、汗、又は、水は、２つの導電性ポット又はソケットを接触させ、それによって電源の比較的速い放電が起こる場合がある。従って、機器が手首に着用される時にこの導電性ポット又はソケットを覆って保護するために、ストラップのループ１２が使用される。
【００２２】
図１では、ループ１２は、接触部分１０及び１１から離れた位置に自由に動けるように取り付けられ、電源を再充電するために充電器の任意のピンをポット又はソケット１０及び１１に接触させることを可能にする。ループ１２はまた、図に点線で示されている遮断位置１２’までＦの方向に動かすことができる。
【００２３】
このループ１２が接触部分１０及び１１を覆う時にそれが動かないように保証するために、例えばループ１２の内側及びリストバンド４の外側にそれぞれ配置される相補的固定部材１３及び１５が設けられる。これを行うために、リストバンドのストランド４は、リストバンドの側面に少なくとも１つの突出部分１３を含み、ループは、少なくとも１つの内側凹部１５を含む。ループ１２は一般にゴムのような可撓性材料で作られているので、ループをその凹部１５にリストバンドの突出部分１３が嵌るようにＦ方向に動かすことは容易である。このようにして、ループ１２は、遮断位置にあって接触部分１０及び１１を覆い、環境的制約からそれらを保護する。
【００２４】
ループ１２は、好ましくは、リストバンドの２つの相対する突出部分１３の上に置かれる２つの相対する凹部１５を含む。各突出部分１３は、ループを遮断位置に容易に配置するために各側部に傾斜平面を含むことができる。
【００２５】
図示されていないが、本機器の別の実施形態において、ループは、リストバンドの少なくとも１つの凹部で遮断位置に配置されるように、少なくとも１つの突出部分を含むことができる。
【００２６】
携帯機器１がユーザの手首に着用されると、ストランド５の一端がループ１２の上を通る。すなわち、ループ１２の内面は、導電性ポット又はソケットの方向に押しつけられ、より良好な絶縁を保証する。
【００２７】
図示されていないが、一実施形態においては、ループ１２にリストバンドの突出部分の側に開いた中空の部分を設け、それによってループの中空部分を遮断位置に到達するまで突出部分の上を摺動させることができる。
【００２８】
図２ａは、リストバンドのストランド４を３次元でより詳細に示している。この図は、バックル１４に当接した位置にある自由に動くループ１２を示す。ループ１２は、接触部分１０及び１１の区域と、リストバンドが機器のケースに取り付けられた時にループ１２が抜け落ちるのを防ぐバックル１４の区域と間で動かすことができる。この機器のリストバンドはまた、第１のループがリストバンドの第２のストランドを保持するのに十分でない場合は、図示されていない第２のループを含むことができる。
【００２９】
図２ｂは、ループが接触部分１０及び１１の上でその遮断位置を占めている時のリストバンドのストランド４を３次元でより詳細に示している。この図では、２つの突出部分１３がループ１２の２つの凹部１５に閉じ込められているのが分かる。
【００３０】
上記で為された説明から、当業者は、特許請求の範囲で規定される本発明の範囲を逸脱しない本機器及びリストバンドの多くの変形を考えることができる。例えば、リストバンドのストランド４の接触部分１０及び１１は、例えばリストバンドの表面から突出する２つの金属ピンにすることができる。従って、充電器は、電源を再充電するために、リストバンドのピンに接続するための２つの導電性ポット又はソケットを含む必要がある。このリストバンドのピンはまた、それらを覆うループに対する固定部材として使用することができる。
【００３１】
電気的接続手段はまた、接触部分と電源との間の単なる抵抗性接続とは異なる方法で作ることができる。
２つの接触部分はまた、各々がリストバンドのストランド４の異なる面、又は、外側の同じ面に配置されてもよい。これらの接触部分は、リストバンド上の唯一の接触表面とすることができる。更に、リストバンドは、単一のストランドのみを含むか、又は、リンクで形成することができる。後者の場合は、金属パスを有するストリップは、リストバンドの各リンクを通過して、同時に電源に接続する金属パスの絶縁を保証する必要がある。
【図面の簡単な説明】
【図１】本発明による腕時計などの機器の底面を示す図である。
【図２】ａ：接触部分に対する保護ループが自由に動く、本発明による機器のリストバンドのストランドを３次元で示す図である。
ｂ：保護ループが接触部分上方の遮断位置を塞ぐ、本発明による機器のリストバンドのストランドを３次元で示す図である。
【符号の説明】
４  リストバンド
８，９  導電性金属パス
１０，１１  電気的接触部分
１２  ループ
【図１】
0004294943.tif 000002
【図２】
0004294943.tif 000003